(57)【要約】【課題】モード切換え等の手間をかけることなく即時自動合焦を解除して固定焦点による撮影を実行する。【解決手段】自動合焦機能を有し、被写体像を撮影するモータ11、レンズ光学系12を含む撮影系回路と、２段階の操作ストロークを有し、第１段階の操作で自動合焦と自動露出を、第２段階の操作で撮影を指示するシャッタキー９を含むキー入力部30と、上記撮影系回路での適正露出値を自動設定し、上記シャッタキー９による所定の第１段階及び第２段階の指示操作状態を検出して、その検出結果により上記撮影系回路の自動合焦機能を動作させるか、一定の被写界深度が得られる固定焦点位置とするかを切換選択する制御部22とを備える。【選択図】      図２
2008134646.tif 000002
【特許請求の範囲】
【請求項１】
自動合焦機能を有し、被写体像を撮影する撮影手段と、
この撮影手段での適正露出値を自動設定する自動露出手段と、
２段階の操作ストロークを有し、第１段階の操作で自動合焦と自動露出を、第２段階の操作で撮影を指示する指示手段と、
この指示手段による所定の第１段階及び第２段階の指示操作状態を検出する検出手段と、
この検出手段での検出結果により、上記撮影手段の自動合焦機能を動作させるか、一定の被写界深度が得られる固定焦点位置とするかを切換選択する焦点制御手段と
を具備したことを特徴とする撮像装置。
【請求項２】
上記検出手段は、第１段階の操作がなされてから第２段階の操作がなされるまでの時間も検出し、
上記焦点制御手段は、上記検出手段が検出した時間が一定時間以下である場合に上記撮影手段を固定焦点位置とする
ことを特徴とする請求項１記載の撮像装置。
【請求項３】
上記検出手段は、装置の電源投入から上記第１段階の操作がなされるまでの時間も検出し、
上記焦点制御手段は、上記検出手段が検出した時間が一定時間以下である場合に上記撮影手段を固定焦点位置とする
ことを特徴とする請求項１記載の撮像装置。
【請求項４】
上記撮影手段は、上記指示手段の第１段階の操作で自動合焦機能の動作を開始し、
上記焦点制御手段は、上記検出手段が上記指示手段の第２段階の操作を検出した時点で上記撮影手段の自動合焦機能の動作がまだ完了していない場合に上記撮影手段を固定焦点位置とする
ことを特徴とする請求項１記載の撮像装置。
【請求項５】
自動合焦機能を有し、被写体像を撮影する撮影手段と、
この撮影手段での適正露出値を自動設定する自動露出手段と、
上記自動露出手段で得られる適正露出値を予め設定した露出値と比較する比較手段と、
この比較手段での比較結果により、上記撮影手段の自動合焦機能を動作させるか、一定の被写界深度が得られる固定焦点位置とするかを切換選択する焦点制御手段と
を具備したことを特徴とする撮像装置。
【請求項６】
少なくとも複数の焦点距離を切換える多焦点距離切換機能と自動合焦機能とを有し、被写体像を撮影する撮影手段と、
この撮影手段によりその時点の焦点距離を予め設定した焦点距離と比較する比較手段と、
この比較手段での比較結果により、上記撮影手段の自動合焦機能を動作させるか、一定の被写界深度が得られる固定焦点位置とするかを切換選択する焦点制御手段と
を具備したことを特徴とする撮像装置。
【請求項７】
自動合焦機能を有し、被写体像を撮影する撮影手段と、
この撮影手段での適正露出値を自動設定する自動露出手段と、
この自動露出手段で自動設定される適正露出値に代えて、任意の露出値を手動設定する手動露出手段と、
この手動露出手段により露出値が手動設定されている場合にこれを検出する検出手段と、
この検出手段での検出結果により、上記撮影手段の自動合焦機能を動作させるか、一定の被写界深度が得られる固定焦点位置とするかを切換選択する焦点制御手段と
を具備したことを特徴とする撮像装置。
【請求項８】
複数の固定焦点範囲から、被写体像の位置する固定焦点範囲を判定する焦点範囲判定手段をさらに具備し、
上記焦点制御手段は、固定焦点位置に切換選択する際に上記焦点範囲判定手段で得た固定焦点範囲を選択する
ことを特徴とする請求項１，５，６または７に記載の撮像装置。
【請求項９】
上記撮影手段は、光源に応じた色温度調整を行なう自動ホワイトバランス機能を有し、
上記焦点範囲判定手段は、この自動ホワイトバランス機能による色温度調整の結果に応じて被写体像の位置する固定焦点範囲を判定する
ことを特徴とする請求項８記載の撮像装置。
【請求項１０】
上記焦点範囲判定手段が被写体像の位置する固定焦点範囲を判定した結果を報知する報知手段をさらに具備したことを特徴とする請求項８記載の撮像装置。
【請求項１１】
自動合焦機能と自動露出機能とを備え、２段階動作するシャッタキーの第１段階の操作で自動合焦と自動露出を、第２段階の操作で撮影を実行する撮像装置での撮像方法であって、
上記シャッタキーによる所定の第１段階及び第２段階の指示操作状態を検出する検出工程と、
この検出工程での検出結果により、上記自動合焦機能を動作させるか、一定の被写界深度が得られる固定焦点位置とするかを切換選択する焦点制御工程と
を有したことを特徴とする撮像方法。
【請求項１２】
自動合焦機能と自動露出機能とを備えた撮像装置での撮像方法であって、
自動露出機能で得られる適正露出値を予め設定した露出値と比較する比較工程と、
この比較工程での比較結果により、上記自動合焦機能を動作させるか、一定の被写界深度が得られる固定焦点位置とするかを切換選択する焦点制御工程と
を有したことを特徴とする撮像方法。
【請求項１３】
少なくとも複数の焦点距離を切換える多焦点距離切換機能と自動合焦機能とを備えた撮像装置での撮像方法であって、
その時点の焦点距離を予め設定した焦点距離と比較する比較工程と、
この比較工程での比較結果により、上記自動合焦機能を動作させるか、一定の被写界深度が得られる固定焦点位置とするかを切換選択する焦点制御工程と
を有したことを特徴とする撮像方法。
【請求項１４】
自動合焦機能と自動露出機能とを備え、自動露出機能で得る露出値に代えて、任意の露出値を手動設定する手動露出機能も備えた撮像装置での撮像方法であって、
上記手動露出機能により露出値が手動設定されている場合にこれを検出する検出工程と、
この検出工程での検出結果により、上記自動合焦機能を動作させるか、一定の被写界深度が得られる固定焦点位置とするかを切換選択する焦点制御工程と
を有したことを特徴とする撮像方法。
【請求項１５】
複数の固定焦点範囲から、被写体像の位置する固定焦点範囲を判定する焦点範囲判定工程をさらに有し、
上記焦点制御工程は、固定焦点位置に切換選択する際に上記焦点範囲判定工程で得た固定焦点範囲を選択する
ことを特徴とする請求項１１乃至１４いずれかに記載の撮像装置。
【請求項１６】
自動合焦機能と自動露出機能とを備え、２段階動作するシャッタキーの第１段階の操作で自動合焦と自動露出を、第２段階の操作で撮影を実行する撮像装置に内蔵したコンピュータが実行するプログラムであって、
上記シャッタキーによる所定の第１段階及び第２段階の指示操作状態を検出する検出ステップと、
この検出ステップでの検出結果により、上記自動合焦機能を動作させるか、一定の被写界深度が得られる固定焦点位置とするかを切換選択する焦点制御ステップと
を実行させることを特徴とするプログラム。
【請求項１７】
自動合焦機能と自動露出機能とを備えた撮像装置に内蔵したコンピュータが実行するプログラムであって、
自動露出機能で得られる適正露出値を予め設定した露出値と比較する比較ステップと、
この比較ステップでの比較結果により、上記自動合焦機能を動作させるか、一定の被写界深度が得られる固定焦点位置とするかを切換選択する焦点制御ステップと
を実行させることを特徴とするプログラム。
【請求項１８】
少なくとも複数の焦点距離を切換える多焦点距離切換機能と自動合焦機能とを備えた撮像装置が内蔵したコンピュータが実行するプログラムであって、
その時点の焦点距離を予め設定した焦点距離と比較する比較ステップと、
この比較ステップでの比較結果により、上記自動合焦機能を動作させるか、一定の被写界深度が得られる固定焦点位置とするかを切換選択する焦点制御ステップと
を実行させることを特徴とするプログラム。
【請求項１９】
自動合焦機能と自動露出機能とを備え、自動露出機能で得る露出値に代えて、任意の露出値を手動設定する手動露出機能も備えた撮像装置が内蔵したコンピュータが実行するプログラムであって、
上記手動露出機能により露出値が手動設定されている場合にこれを検出する検出ステップと、
この検出ステップでの検出結果により、上記自動合焦機能を動作させるか、一定の被写界深度が得られる固定焦点位置とするかを切換選択する焦点制御ステップと
を実行させることを特徴とするプログラム。
【請求項２０】
複数の固定焦点範囲から、被写体像の位置する固定焦点範囲を判定する焦点範囲判定ステップをさらに有し、
上記焦点制御ステップは、固定焦点位置に切換選択する際に上記焦点範囲判定ステップで得た固定焦点範囲を選択する
ことを特徴とする請求項１６乃至１９いずれかに記載の撮像装置。
【発明の詳細な説明】
【技術分野】
【０００１】
本発明は、例えばデジタルスチルカメラやカメラ機能付きの携帯電話機等に好適な撮像装置、撮像方法及びプログラムに関する。
【背景技術】
【０００２】
従来、自動合焦（ＡＦ）機能を有するカメラにおいて、スナップ的な使い方をしたい場合や、ＡＦ方式によるピントが合いにくい状況下での撮影に際して、失敗なく迅速に撮影を行なうものとして、あえてＡＦ機能を使用せず、一定の被写界深度を有する固定焦点として撮影を実行するようにしたものが考えられている。（例えば、特許文献１参照。）
【特許文献１】特開２００２−０９０８２３号公報
【発明の開示】
【発明が解決しようとする課題】
【０００３】
しかしながら、上記特許文献１では、自動焦点モードと固定焦点モードとをモード切換えにより任意選択する必要がある。したがって、自動焦点モードを選択している状態から即時固定焦点モードでの迅速な撮影を行なうことはできず、大切なシャッタチャンスを逃してしまう可能性も充分にあり得る。
【０００４】
本発明は上記のような実情に鑑みてなされたもので、その目的とするところは、モード切換え等の手間をかけることなく即時自動合焦を解除して固定焦点による撮影を実行することが可能な撮像装置、撮像方法及びプログラムを提供することにある。
【課題を解決するための手段】
【０００５】
請求項１記載の発明は、自動合焦機能を有し、被写体像を撮影する撮影手段と、この撮影手段での適正露出値を自動設定する自動露出手段と、２段階の操作ストロークを有し、第１段階の操作で自動合焦と自動露出を、第２段階の操作で撮影を指示する指示手段と、この指示手段による所定の第１段階及び第２段階の指示操作状態を検出する検出手段と、この検出手段での検出結果により、上記撮影手段の自動合焦機能を動作させるか、一定の被写界深度が得られる固定焦点位置とするかを切換選択する焦点制御手段とを具備したことを特徴とする。
【０００６】
請求項２記載の発明は、上記請求項１記載の発明において、上記検出手段は、第１段階の操作がなされてから第２段階の操作がなされるまでの時間も検出し、上記焦点制御手段は、上記検出手段が検出した時間が一定時間以下である場合に上記撮影手段を固定焦点位置とすることを特徴とする。
【０００７】
請求項３記載の発明は、上記請求項１記載の発明において、上記検出手段は、装置の電源投入から上記第１段階の操作がなされるまでの時間も検出し、上記焦点制御手段は、上記検出手段が検出した時間が一定時間以下である場合に上記撮影手段を固定焦点位置とすることを特徴とする。
【０００８】
請求項４記載の発明は、上記請求項１記載の発明において、上記撮影手段は、上記指示手段の第１段階の操作で自動合焦機能の動作を開始し、上記焦点制御手段は、上記検出手段が上記指示手段の第２段階の操作を検出した時点で上記撮影手段の自動合焦機能の動作がまだ完了していない場合に上記撮影手段を固定焦点位置とすることを特徴とする。
【０００９】
請求項５記載の発明は、自動合焦機能を有し、被写体像を撮影する撮影手段と、この撮影手段での適正露出値を自動設定する自動露出手段と、上記自動露出手段で得られる適正露出値を予め設定した露出値と比較する比較手段と、この比較手段での比較結果により、上記撮影手段の自動合焦機能を動作させるか、一定の被写界深度が得られる固定焦点位置とするかを切換選択する焦点制御手段とを具備したことを特徴とする。
【００１０】
請求項６記載の発明は、少なくとも複数の焦点距離を切換える多焦点距離切換機能と自動合焦機能とを有し、被写体像を撮影する撮影手段と、この撮影手段によりその時点の焦点距離を予め設定した焦点距離と比較する比較手段と、この比較手段での比較結果により、上記撮影手段の自動合焦機能を動作させるか、一定の被写界深度が得られる固定焦点位置とするかを切換選択する焦点制御手段とを具備したことを特徴とする。
【００１１】
請求項７記載の発明は、自動合焦機能を有し、被写体像を撮影する撮影手段と、この撮影手段での適正露出値を自動設定する自動露出手段と、この自動露出手段で自動設定される適正露出値に代えて、任意の露出値を手動設定する手動露出手段と、この手動露出手段により露出値が手動設定されている場合にこれを検出する検出手段と、この検出手段での検出結果により、上記撮影手段の自動合焦機能を動作させるか、一定の被写界深度が得られる固定焦点位置とするかを切換選択する焦点制御手段とを具備したことを特徴とする。
【００１２】
請求項８記載の発明は、上記請求項１，５，６または７に記載の発明において、複数の固定焦点範囲から、被写体像の位置する固定焦点範囲を判定する焦点範囲判定手段をさらに具備し、上記焦点制御手段は、固定焦点位置に切換選択する際に上記焦点範囲判定手段で得た固定焦点範囲を選択することを特徴とする。
【００１３】
請求項９記載の発明は、上記請求項８記載の発明において、上記撮影手段は、光源に応じた色温度調整を行なう自動ホワイトバランス機能を有し、上記焦点範囲判定手段は、この自動ホワイトバランス機能による色温度調整の結果に応じて被写体像の位置する固定焦点範囲を判定することを特徴とする。
【００１４】
請求項１０記載の発明は、上記請求項８記載の発明において、上記焦点範囲判定手段が被写体像の位置する固定焦点範囲を判定した結果を報知する報知手段をさらに具備したことを特徴とする。
【００１５】
請求項１１記載の発明は、自動合焦機能と自動露出機能とを備え、２段階動作するシャッタキーの第１段階の操作で自動合焦と自動露出を、第２段階の操作で撮影を実行する撮像装置での撮像方法であって、上記シャッタキーによる所定の第１段階及び第２段階の指示操作状態を検出する検出工程と、この検出工程での検出結果により、上記自動合焦機能を動作させるか、一定の被写界深度が得られる固定焦点位置とするかを切換選択する焦点制御工程とを有したことを特徴とする。
【００１６】
請求項１２記載の発明は、自動合焦機能と自動露出機能とを備えた撮像装置での撮像方法であって、自動露出機能で得られる適正露出値を予め設定した露出値と比較する比較工程と、この比較工程での比較結果により、上記自動合焦機能を動作させるか、一定の被写界深度が得られる固定焦点位置とするかを切換選択する焦点制御工程とを有したことを特徴とする。
【００１７】
請求項１３記載の発明は、少なくとも複数の焦点距離を切換える多焦点距離切換機能と自動合焦機能とを備えた撮像装置での撮像方法であって、その時点の焦点距離を予め設定した焦点距離と比較する比較工程と、この比較工程での比較結果により、上記自動合焦機能を動作させるか、一定の被写界深度が得られる固定焦点位置とするかを切換選択する焦点制御工程とを有したことを特徴とする。
【００１８】
請求項１４記載の発明は、自動合焦機能と自動露出機能とを備え、自動露出機能で得る露出値に代えて、任意の露出値を手動設定する手動露出機能も備えた撮像装置での撮像方法であって、上記手動露出機能により露出値が手動設定されている場合にこれを検出する検出工程と、この検出工程での検出結果により、上記自動合焦機能を動作させるか、一定の被写界深度が得られる固定焦点位置とするかを切換選択する焦点制御工程とを有したことを特徴とする。
【００１９】
請求項１５記載の発明は、上記請求項１１乃至１４いずれかに記載の発明において、複数の固定焦点範囲から、被写体像の位置する固定焦点範囲を判定する焦点範囲判定工程をさらに有し、上記焦点制御工程は、固定焦点位置に切換選択する際に上記焦点範囲判定工程で得た固定焦点範囲を選択することを特徴とする。
【００２０】
請求項１６記載の発明は、自動合焦機能と自動露出機能とを備え、２段階動作するシャッタキーの第１段階の操作で自動合焦と自動露出を、第２段階の操作で撮影を実行する撮像装置に内蔵したコンピュータが実行するプログラムであって、上記シャッタキーによる所定の第１段階及び第２段階の指示操作状態を検出する検出ステップと、この検出ステップでの検出結果により、上記自動合焦機能を動作させるか、一定の被写界深度が得られる固定焦点位置とするかを切換選択する焦点制御ステップとを実行させることを特徴とする。
【００２１】
請求項１７記載の発明は、自動合焦機能と自動露出機能とを備えた撮像装置に内蔵したコンピュータが実行するプログラムであって、自動露出機能で得られる適正露出値を予め設定した露出値と比較する比較ステップと、この比較ステップでの比較結果により、上記自動合焦機能を動作させるか、一定の被写界深度が得られる固定焦点位置とするかを切換選択する焦点制御ステップとを実行させることを特徴とする。
【００２２】
請求項１８記載の発明は、少なくとも複数の焦点距離を切換える多焦点距離切換機能と自動合焦機能とを備えた撮像装置が内蔵したコンピュータが実行するプログラムであって、その時点の焦点距離を予め設定した焦点距離と比較する比較ステップと、この比較ステップでの比較結果により、上記自動合焦機能を動作させるか、一定の被写界深度が得られる固定焦点位置とするかを切換選択する焦点制御ステップとを実行させることを特徴とする。
【００２３】
請求項１９記載の発明は、自動合焦機能と自動露出機能とを備え、自動露出機能で得る露出値に代えて、任意の露出値を手動設定する手動露出機能も備えた撮像装置が内蔵したコンピュータが実行するプログラムであって、上記手動露出機能により露出値が手動設定されている場合にこれを検出する検出ステップと、この検出ステップでの検出結果により、上記自動合焦機能を動作させるか、一定の被写界深度が得られる固定焦点位置とするかを切換選択する焦点制御ステップとを実行させることを特徴とする。
【００２４】
請求項２０記載の発明は、上記請求項１６乃至１９いずれかに記載の発明において、複数の固定焦点範囲から、被写体像の位置する固定焦点範囲を判定する焦点範囲判定ステップをさらに有し、上記焦点制御ステップは、固定焦点位置に切換選択する際に上記焦点範囲判定ステップで得た固定焦点範囲を選択することを特徴とする。
【発明の効果】
【００２５】
請求項１記載の発明によれば、２段階の操作ストロークを有するシャッタキーの操作の仕方により自動合焦と固定焦点とを任意に切換選択でき、必要により即時迅速な撮影動作を実行できる。
【００２６】
請求項２記載の発明によれば、上記請求項１記載の発明の効果に加えて、例えばシャッタキーの第１段階の操作から第２段階の操作に至る時間が一定値以下である場合に固定焦点での撮影を実行するようにしたので、通常の自動合焦処理の流れにあっても、迅速な撮影に移行したい場合を検出した場合には、あえて固定焦点による撮影を実行できる。
【００２７】
請求項３記載の発明によれば、上記請求項１記載の発明の効果に加えて、電源投入直後の一定時間に限定してシャッタキーの第１段階の操作がなされた場合に即時固定焦点での撮影を実行するようにしたので、特に装置の電源を投入していない状態から電源を投入して迅速に固定焦点での撮影を実行する場合などに有効であり、シャッタチャンスを逃してしまう可能性をより低減できる。
【００２８】
請求項４記載の発明によれば、上記請求項１記載の発明の効果に加えて、シャッタキーの第１段階の操作で自動合焦動作を開始し、それが完了する前に早くも第２段階の操作がなされた場合には、自動合焦動作を続行せずに即時固定焦点での撮影を実行するようにしたので、ユーザの操作意図を汲んで迅速に固定焦点での撮影を実行し、シャッタチャンスを逃してしまう可能性をより低減できる。
【００２９】
請求項５記載の発明によれば、自動露出により低輝度であると判断される場合には、パンフォーカスの効果を得るために絞り値を大きく設定するとその分の光量低下をシャッタ速度をより低速度とすることでも補償しきれず、画像が暗くなってしまうため、あえて適正露出による自動焦点を優先することで、撮影の失敗を回避できる。
【００３０】
請求項６記載の発明によれば、焦点距離が望遠側であると判断される場合には、被写界深度が狭く、パンフォーカスの効果を得ることが困難となるため、自動焦点を優先することで、撮影の失敗を回避できる。
【００３１】
請求項７記載の発明によれば、ユーザのマニュアル露出が選択されている状態では、パンフォーカスの効果を得るべく絞り値を大きく設定すると、ユーザが設定した露出の値が変わってしまうため、固定焦点とはせずに自動焦点を優先することで、ユーザの撮影意図を優先できる。
【００３２】
請求項８記載の発明によれば、上記請求項１，５，６または７に記載の発明の効果に加えて、複数の固定焦点範囲から、被写体像の位置する固定焦点範囲を判定し、固定焦点位置に切換選択する際にはその判定した固定焦点範囲を選択するようにしたので、より被写体像に正確に合焦した撮影を実行できる。
【００３３】
請求項９記載の発明によれば、上記請求項８記載の発明の効果に加えて、自動ホワイトバランス機能による光源に対する色温度調整の結果から被写体像が室内か屋外かを判定し、固定焦点範囲を切換えるようにしたので、より被写体像の位置する固定焦点範囲を正確に判定することで、さらにより正確に合焦した撮影を実行できる。
【００３４】
請求項１０記載の発明によれば、上記請求項８記載の発明の効果に加えて、複数の固定焦点範囲の中から撮影を実行した固定焦点範囲を報知することで、ユーザにその内容を認識させ、不都合があれば即時撮影し直すことができる。
【００３５】
請求項１１記載の発明によれば、２段階の操作ストロークを有するシャッタキーの操作の仕方により自動合焦と固定焦点とを任意に切換選択でき、必要により即時迅速な撮影動作を実行できる。
【００３６】
請求項１２記載の発明によれば、自動露出により低輝度であると判断される場合には、パンフォーカスの効果を得るために絞り値を大きく設定するとその分の光量低下をシャッタ速度をより低速度とすることでも補償しきれず、画像が暗くなってしまうため、あえて適正露出による自動焦点を優先することで、撮影の失敗を回避できる。
【００３７】
請求項１３記載の発明によれば、焦点距離が望遠側であると判断される場合には、被写界深度が狭く、パンフォーカスの効果を得ることが困難となるため、自動焦点を優先することで、撮影の失敗を回避できる。
【００３８】
請求項１４記載の発明によれば、ユーザのマニュアル露出が選択されている状態では、パンフォーカスの効果を得るべく絞り値を大きく設定すると、ユーザが設定した露出の値が変わってしまうため、固定焦点とはせずに自動焦点を優先することで、ユーザの撮影意図を優先できる。
【００３９】
請求項１５記載の発明によれば、上記請求項１１乃至１４いずれかに記載の発明の効果に加えて、複数の固定焦点範囲から、被写体像の位置する固定焦点範囲を判定し、固定焦点位置に切換選択する際にはその判定した固定焦点範囲を選択するようにしたので、より被写体像に正確に合焦した撮影を実行できる。
【００４０】
請求項１６記載の発明によれば、２段階の操作ストロークを有するシャッタキーの操作の仕方により自動合焦と固定焦点とを任意に切換選択でき、必要により即時迅速な撮影動作を実行できる。
【００４１】
請求項１７記載の発明によれば、自動露出により低輝度であると判断される場合には、パンフォーカスの効果を得るために絞り値を大きく設定するとその分の光量低下をシャッタ速度をより低速度とすることでも補償しきれず、画像が暗くなってしまうため、あえて適正露出による自動焦点を優先することで、撮影の失敗を回避できる。
【００４２】
請求項１８記載の発明によれば、焦点距離が望遠側であると判断される場合には、被写界深度が狭く、パンフォーカスの効果を得ることが困難となるため、自動焦点を優先することで、撮影の失敗を回避できる。
【００４３】
請求項１９記載の発明によれば、ユーザのマニュアル露出が選択されている状態では、パンフォーカスの効果を得るべく絞り値を大きく設定すると、ユーザが設定した露出の値が変わってしまうため、固定焦点とはせずに自動焦点を優先することで、ユーザの撮影意図を優先できる。
【００４４】
請求項２０記載の発明によれば、上記請求項１６乃至１９いずれかに記載の発明の効果に加えて、複数の固定焦点範囲から、被写体像の位置する固定焦点範囲を判定し、固定焦点位置に切換選択する際にはその判定した固定焦点範囲を選択するようにしたので、より被写体像に正確に合焦した撮影を実行できる。
【発明を実施するための最良の形態】
【００４５】
（第１の実施の形態）
以下本発明をデジタルスチルカメラに適用した場合の第１の実施の形態について図面を参照して説明する。
【００４６】
図１は、その外観構成を示すもので、ここでは主として前面及び上面の構成を示す。
このデジタルスチルカメラ１は、略矩形の薄板状金属外装ボディの前面に、撮影レンズ２、セルフタイマランプ３、光学ファインダ窓４、マイクロホン部５、ストロボ発光部６、及びグリップバー７を配設し、上面の（ユーザにとって）右端側には電源キー８及びシャッタキー９を配する。
【００４７】
撮影レンズ２は、焦点距離を無段階に可変するズーム機能及びＡＦ機能を有し、電源オフ時及び基本モードである再生時にはボディ内に沈胴する。
【００４８】
グリップバー７は、ユーザが撮影時にデジタルスチルカメラ１を右手で筐体右側面側から把持した場合に右手中指、薬指、及び小指が確実に該筐体を把持できるように埋設された金属製の帯状突起である。
【００４９】
また、電源キー８は、電源のオン／オフ毎に操作するキーであり、シャッタキー９は、撮影モード時に撮影タイミングを指示する。
【００５０】
また、ここでは図示しないが、デジタルスチルカメラ１の背面には、モードスイッチ、スピーカ部、メニューキー、十字キー、セットキー、光学ファインダ、ストロボチャージランプ、及び表示部等を配する。
【００５１】
さらにデジタルスチルカメラ１の底面には、これも図示しないが、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００５２】
次いで図２により上記デジタルスチルカメラ１の電子回路構成を説明する。
同図で、基本モードである撮影モードにおいては、モータ（Ｍ）１１の駆動により合焦位置や絞り位置が移動される、上記撮影レンズ２を構成するレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００５３】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ１９に出力される。
【００５４】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００５５】
制御部２２は、ＣＰＵと、後述する撮影モード時のシャッタキー９の操作に対する処理を含む該ＣＰＵで実行される動作プログラムを固定的に記憶したＲＯＭ、及びワークメモリとして使用されるＲＡＭ等により構成され、このデジタルスチルカメラ１全体の制御動作を司る。
【００５６】
しかして制御部２２は、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００５７】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００５８】
この表示部２６は、上述した如くデジタルスチルカメラ１の背面側に設けられるもので、撮影モード時にはモニタ表示部（電子ファインダ）として機能し、デジタルビデオエンコーダ２５からのビデオ信号に基づいた表示を行なうことで、その時点でＶＲＡＭコントローラ２３から取込んでいる画像情報に基づく画像をリアルタイムに表示することとなる。
【００５９】
このように表示部２６にその時点での画像がモニタ画像としてリアルタイムに表示されている、所謂スルー画像の表示状態で、静止画撮影を行ないたいタイミングで上記シャッタキー９を操作すると、トリガ信号を発生する。
【００６０】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従った絞り値及びシャッタ速度でＣＣＤ１３を駆動して１画面分の起動及び色差信号を得てＤＲＡＭ２１へ転送し、その後にこの経路を停止し、記録保存の状態に遷移する。
【００６１】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２７に書込み、このＪＰＥＧ回路２７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００６２】
そして、得た符号データを１画像のデータファイルとして該ＪＰＥＧ回路２７から読出し、このデジタルスチルカメラ１の記録媒体として着脱自在に装着されるメモリカード２８か、またはこのデジタルスチルカメラ１に固定的に内蔵される内蔵メモリ２９のいずれか一方に書込む。
【００６３】
そして、１フレーム分の輝度及び色差信号の圧縮処理及びメモリカード２８または内蔵メモリ２９への全圧縮データの書込み終了に伴なって、制御部２２はＣＣＤ１３からＤＲＡＭ２１への経路を再び起動する。
【００６４】
また、制御部２２には、キー入力部３０、音声処理部３１、及びストロボ駆動部３２が接続される。
【００６５】
キー入力部３０は、上述した電源キー８、シャッタキー９や、モードスイッチ、メニューキー、十字キー及びセットキー等から構成され、それらのキー操作に伴なう信号は直接制御部２２へ送出される。
【００６６】
音声処理部３１は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード２８または内蔵メモリ２９へ送出する一方、音声の再生時にはメモリカード２８または内蔵メモリ２９から送られてきた音声データファイルの圧縮を解いてアナログ化し、上述したデジタルスチルカメラ１のハイメン側に設けられるスピーカ部（ＳＰ）３３を駆動して、拡声放音させる。
【００６７】
ストロボ駆動部３２は、静止画像撮影時に図示しないストロボ用の大容量コンデンサを充電した上で、制御部２２からの制御に基づいて上記ストロボ発光部６を閃光駆動する。
【００６８】
しかるに、静止画像ではなく動画像の撮影時においては、シャッタキー９が操作され続けている間、上述した静止画データをＪＰＥＧ回路２７でデータ圧縮した静止画データファイルのメモリカード２８または内蔵メモリ２９への記録を時間的に連続して実行し、該シャッタキー９の操作が終わるか、または所定の制限時間、例えば３０秒が経過した時点でそれら一連の静止画データファイルを一括してモーションＪＰＥＧのデータファイル（ＡＶＩファイル）として設定し直す。
【００６９】
また、基本モードである再生モード時には、制御部２２がメモリカード２８または内蔵メモリ２９に記録されている画像データを選択的に読出し、ＪＰＥＧ回路２７で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読出してビデオ信号を発生し、上記表示部２６で再生出力させる。
【００７０】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００７１】
次に上記実施の形態の動作について説明する。
なお、以下に示す各処理は、基本的に制御部２２が予め固定記憶したプログラムに基づいて実行するものである。
【００７２】
また、本実施の形態においては上記シャッタキー９が２段階のストローク操作で動作し、基本的な動作として第１段階のストローク操作、一般に「半押し」と呼称される状態でＡＦ動作を実行して合焦状態と露出状態とをロックし、その後の第２段階のストローク操作、一般に「全押し」と呼称される状態で上記ロックした合焦状態及び露出状態による撮影を実行するものとする。
【００７３】
図３は、撮影モード時の処理内容を示すもので、その当初にはその時点で選択されている撮影レンズ２のズーム位置に対応した焦点距離でＡＥ処理を実行し、適正露出値を得て絞り値及びシャッタ速度を設定する（ステップＡ０１）。
【００７４】
その上で、該シャッタ速度がこのモニタ状態のフレームレートに、対応した値、例えばフレームレートが３０フレーム／［秒］であれば１／３０［秒］を充分越える高い速度となるように調整してＣＣＤ１３から画像を得、併せて自動ホワイトバランス（ＡＷＢ）処理により光源の色温度に対応したホワイトバランスとなるようにカラープロセス回路１８で調整を施した上で（ステップＡ０２）、表示部２６にスルー画像を表示しながら（ステップＡ０３）、キー入力部３０のシャッタキー９が半押し状態となったか否か判断する（ステップＡ０４）、という処理を繰返し実行することで、シャッタキー９が半押し状態となるのを待機する。
【００７５】
しかして、シャッタキー９が半押し状態となるとステップＡ０４でこれを判断し、まず半押し状態からの経過時間をカウントする内部カウンタｔのカウント動作を開始させた後（ステップＡ０５）、所定のフォーカスエリアにピントが合うようにＡＦ処理を行なって合焦位置をロックする（ステップＡ０６）。このとき同時に、直前の上記ステップＡ０１でのＡＥ処理により取得した、適正な露出が得られる絞り値とシャッタ速度とをロックしておく。
【００７６】
この撮影条件をロックした状態から、さらにシャッタキー９が全押し操作されたか否か（ステップＡ０７）、同シャッタキー９がまだ半押し操作されているか否か（ステップＡ０８）を繰返し判断することで、シャッタキー９が半押し操作されていることを確認しながら、全押し操作されるのを待機する。
【００７７】
ここで、シャッタキー９の半押し操作が解除された場合には、ステップＡ０８でこれを判断して上記撮影条件のロックを解き、再び上記ステップＡ０１からの処理に戻る。
【００７８】
また、上記撮影条件をロックした状態から、シャッタキー９が全押し操作されると、ステップＡ０７でこれを判断し、次にその時点での制御部２２の内部カウンタｔのカウント値が一定値、例えば時間１［秒］に相当する値以下であるか否かを判断する（ステップＡ０９）。なお、この内部カウンタｔのカウント値の一定値で表される時間は、予めユーザが任意に設定できるものとする。
【００７９】
ここで、内部カウンタｔのカウント値が一定値より大きいと判断した場合には、シャッタキー９の半押し状態から全押し状態に移行するまでの間にそれだけの時間が経過しているものとし、さして迅速な撮影が要求されているのではないものとして、基本動作に基づく画像データの記録保存状態に移行する。
【００８０】
すなわち、上記撮影条件をロックしたままの状態で撮像による画像データを得た後（ステップＡ１４）、撮影により得た画像データをファイル化してメモリカード２８または内蔵メモリ２９に記録保存し（ステップＡ１５）、以上で一連の撮影に関する処理を終了して、再び次の撮影に備えるべく上記ステップＡ０１からの処理に戻る。
【００８１】
また、上記ステップＡ０９で内部カウンタｔのカウント値が一定値以下であると判断した場合には、ユーザが急いでシャッタキー９を操作し、直ちに被写体を撮影したがっているものとして、できうる限りパンフォーカスに近い状態を設定するべく、その時点での撮影レンズ２のズーム位置に対応した、なるべく被写界深度が深くなる所定の合焦位置を固定設定する（ステップＡ１０）。
【００８２】
図４は、このパンフォーカス処理の詳細な内容を示すサブルーチンであり、その当初には上記直前のステップＡ０２での自動ホワイトバランス処理により得た光源の色温度から、それが太陽光の色温度であるか否かにより、このデジタルスチルカメラ１がその時点で屋外にあるか否かを判断する（ステップＳ０１）。
【００８３】
ここで、上記撮影レンズ２を構成するレンズ光学系１２が、例えば０．４［ｍ］〜１０［ｍ］の範囲内であればいずれも被写体に合焦する近景用の固定焦点範囲と、１．５［ｍ］〜無限遠（∞）の範囲内であればいずれも被写体に合焦する遠景用の固定焦点範囲の２段階の固定焦点範囲を有しているものとする。
【００８４】
上記ステップＢ０１で自動ホワイトバランス処理により得た光源の色温度が太陽光の色温度であり、このカメラ１が屋外にあると判断した場合には、被写体もそれなりにカメラ１からある程度は離れているものと判定し、上記遠景用の固定焦点範囲となるようにレンズ光学系１２を位置設定した上で（ステップＳ０２）、このパンフォーカス設定のサブルーチンを終える。
【００８５】
また、反対に上記ステップＢ０１で自動ホワイトバランス処理により得た光源の色温度が太陽光の色温度ではなく、このカメラ１が屋外にはないと判断した場合には、被写体もカメラ１からある程度近いものと判定し、上記近景用の固定焦点範囲となるようにレンズ光学系１２を位置設定した上で（ステップＳ０３）、このパンフォーカス設定のサブルーチンを終える。
【００８６】
図３に戻り、上記ステップＡ１０でのパンフォーカス処理と併せて、直前の上記ステップＡ０１で得た適正露出値から、最大限絞り値を大きく設定し、それに対応してシャッタ速度を遅くする、所謂絞り込むＡＥ処理を実行した上で（ステップＡ１１）、即時画像データの記録保存状態に移行する。
【００８７】
すなわち、まず撮像による画像データを得た後（ステップＡ１２）、撮影により得た画像データをファイル化してメモリカード２８または内蔵メモリ２９に記録保存し（ステップＡ１３）、以上で一連の撮影に関する処理を終了して、再び次の撮影に備えるべく上記ステップＡ０１からの処理に戻る。
【００８８】
このように、２段階の操作ストロークを有するシャッタキー９の操作の仕方により自動合焦と固定焦点とを任意に切換選択でき、必要により即時迅速な撮影動作を実行できる。
【００８９】
特に、シャッタキー９の第１段階の操作から第２段階の操作に至る時間が一定値以下である場合にパンフォーカスとなるように撮影を実行するようにしたので、通常の自動合焦処理の流れにあっても、迅速な撮影に移行したい場合を検出した場合には、あえてパンフォーカスとし、所謂ピンボケの発生しにくい状態での撮影に移行できる。
【００９０】
加えて、パンフォーカス設定として、複数、例えば２つの固定焦点範囲の中からその撮影条件に対応した範囲を判定し、固定焦点位置に切換選択する際にはその判定した固定焦点範囲を選択するようにしたので、より被写体像に正確に合焦した撮影を実行できる。
【００９１】
この固定焦点範囲の判定要件の一例として、自動ホワイトバランス機能による光源に対する色温度調整の結果から撮影しようとする被写体像が室内か屋外かを判定するものとしたことで、ユーザに一切の負担をかけることなく、より被写体像の位置する固定焦点範囲を正確に判定することができ、さらにより正確に合焦した撮影を実行できる。
【００９２】
なお、上記ステップＡ１２での撮影とそれに続くステップＡ１３での記録保存と共に、記録結果を報知する一因として、カメラ１の表示部２６で上記ステップＳ０２またはＳ０３で設定した固定焦点範囲を数値化して表示するものとしてもよい。
【００９３】
図５は、撮影直後の表示部２６に一定時間、各種撮影データの１つとして固定焦点範囲を表示した場合を例示するものである。同図で、ストロボ発光モードａ、残り撮影可能枚数ｃ、フォーカスフレームｄ、固定焦点範囲ｅ、及び露光値（シャッタ速度及び絞り（Ｆ）値）ｆを適宜表示部２６に分散配置して表示する。
【００９４】
このうち固定焦点範囲ｅとしては、例えば図示する如く遠景用の固定焦点範囲を具体的な数値、すなわち「１．５ｍ〜無限遠（∞）」で示すことにより、撮影した画像中の合焦した範囲を報知することで、ユーザにその内容を認識させ、不都合があれば即時撮影し直すことができる。
【００９５】
（第２の実施の形態）
以下本発明をデジタルスチルカメラに適用した場合の第２の実施の形態について図面を参照して説明する。
【００９６】
なお、その外観構成については上記図１と、電子回路構成については上記図２と基本的に同様であるものとして、同一部分には同一符号を用いるものとし、それらの図示及び説明は省略する。
【００９７】
次に上記実施の形態の動作について説明する。
なお、以下に示す各処理は、基本的に制御部２２が予め固定記憶したプログラムに基づいて実行するものである。
【００９８】
また、本実施の形態においては上記シャッタキー９が２段階のストローク操作で動作し、基本的な動作として第１段階のストローク操作、一般に「半押し」と呼称される状態でＡＦ動作を実行して合焦状態と露出状態とをロックし、その後の第２段階のストローク操作、一般に「全押し」と呼称される状態で上記ロックした合焦状態及び露出状態による撮影を実行するものとする。
【００９９】
図６及び図７は、電源キー８の操作に伴う電源投入とその後に自動設定される基本モードである撮影モード時の処理内容を示すもので、その当初には電源キー８の操作により電源が投入されるのを待機する（ステップＢ０１）。
【０１００】
そして、電源キー８の操作により電源が投入されると、制御部２２はこれをステップＢ０１で判断し、まず電源投入後の経過時間をカウントする内部カウンタｔ１のカウント動作を開始させる（ステップＢ０２）。
【０１０１】
その後、その時点で選択されている撮影レンズ２のズーム位置に対応した焦点距離でＡＥ処理を実行し、適正露出値を得て絞り値及びシャッタ速度を設定する（ステップＢ０３）。
【０１０２】
その上で、該シャッタ速度がこのモニタ状態のフレームレートに対応した値、例えばフレームレートが３０フレーム／［秒］であれば１／３０［秒］を充分越える高い速度となるように調整してＣＣＤ１３から画像を得、併せて自動ホワイトバランス（ＡＷＢ）処理により光源の色温度に対応したホワイトバランスとなるようにカラープロセス回路１８で調整を施した上で（ステップＢ０４）、表示部２６にスルー画像を表示しながら（ステップＢ０５）、キー入力部３０のシャッタキー９が半押し状態となったか否か判断する（ステップＢ０６）、という処理を繰返し実行することで、シャッタキー９が半押し状態となるのを待機する。
【０１０３】
ここで、シャッタキー９が半押し状態となるとステップＢ０５でこれを判断し、次にその時点で制御部２２の内部カウンタｔ１のカウント値が一定値、例えば時間５［秒］に相当する値以下であるか否かを判断する（ステップＢ０７）。なお、この内部カウンタｔ１のカウント値の一定値で表される時間は、予めユーザが任意に設定できるものとする。
【０１０４】
内部カウンタｔ１のカウント値が一定値以下である場合には、電源キー８の操作による電源オンのタイミングからさほどの時間が経過しておらず、ユーザが急いでシャッタキー９を操作し、直ちに被写体を撮影したがっているものとして、できうる限りパンフォーカスに近い状態を設定するべく、その時点での撮影レンズ２のズーム位置に対応した、なるべく被写界深度が深くなる所定の合焦位置を固定設定する（ステップＢ０８）。
【０１０５】
このとき、上記図４に示した如くこのパンフォーカス設定においては、上記直前のステップＢ０４での自動ホワイトバランス処理により得た光源の色温度から、それが太陽光の色温度であるか否かにより、このデジタルスチルカメラ１がその時点で屋外にあるか否かを判断する（ステップＳ０１）。
【０１０６】
ここで、上記撮影レンズ２を構成するレンズ光学系１２が、例えば０．４［ｍ］〜１０［ｍ］の範囲内であればいずれも被写体に合焦する近景用の固定焦点範囲と、１．５［ｍ］〜無限遠（∞）の範囲内であればいずれも被写体に合焦する遠景用の固定焦点範囲の２段階の固定焦点範囲を有しているものとする。
【０１０７】
上記ステップＳ０１で自動ホワイトバランス処理により得た光源の色温度が太陽光の色温度であり、このカメラ１が屋外にあると判断した場合には、被写体もそれなりにカメラ１からある程度は離れているものと判定し、上記遠景用の固定焦点範囲となるようにレンズ光学系１２を位置設定した上で（ステップＳ０２）、このパンフォーカス設定のサブルーチンを終える。
【０１０８】
また、反対に上記ステップＳ０１で自動ホワイトバランス処理により得た光源の色温度が太陽光の色温度ではなく、このカメラ１が屋外にはないと判断した場合には、被写体もカメラ１からある程度近いものと判定し、上記近景用の固定焦点範囲となるようにレンズ光学系１２を位置設定した上で（ステップＳ０３）、このパンフォーカス設定のサブルーチンを終える。
【０１０９】
図６に戻り、上記ステップＢ０８でのパンフォーカス処理と併せて、直前の上記ステップＢ０３で得た適正露出値から、最大限絞り値を大きく設定し、それに対応してシャッタ速度を遅くする、所謂絞り込むＡＥ処理を実行した上で（ステップＢ０９）、さらにシャッタキー９が全押し操作されたか否か（ステップＢ１０）、同シャッタキー９がまだ半押し操作されているか否か（ステップＢ１１）を繰返し判断することで、シャッタキー９が半押し操作されていることを確認しながら、全押し操作されるのを待機する。
【０１１０】
ここで、シャッタキー９の半押し操作が解除された場合には、ステップＢ１１でこれを判断して上記パンフォーカス状態を得るための撮影条件のロックを解き、再び上記ステップＢ０３からの処理に戻る。
【０１１１】
また、上記撮影条件をロックした状態から、シャッタキー９が全押し操作されると、ステップＢ１０でこれを判断し、即時画像データの記録保存状態に移行する。
【０１１２】
すなわち、まず撮像による画像データを得た後（ステップＢ１２）、撮影により得た画像データをファイル化してメモリカード２８または内蔵メモリ２９に記録保存し（ステップＢ１３）、以上で一連の撮影に関する処理を終了して、再び次の撮影に備えるべく上記ステップＢ０３からの処理に戻る。
【０１１３】
また、上記ステップＢ０７で電源投入後の経過時間をカウントする内部カウンタｔ１のカウント値が一定値より大きい場合には、電源キー８の操作による電源オンのタイミングからそれだけの時間が経過しているものとし、さして迅速な撮影が要求されているのではないものとして、次にシャッタキー９が半押し操作されてからの経過時間をカウントする内部カウンタｔ２のカウント動作を開始させた上で（ステップＢ１４）、所定のフォーカスエリアにピントが合うようにＡＦ処理を行なって合焦位置を得、これをロックする（ステップＢ１５）。このとき、同時に直前の上記ステップＢ０３のＡＥ処理で取得した、適正な露出が得られる絞り値とシャッタ速度とを確定してこれもロックする。
【０１１４】
この撮影条件をロックした状態から、さらにシャッタキー９が全押し操作されたか否か（ステップＢ１６）、同シャッタキー９がまだ半押し操作されているか否か（ステップＢ１７）を繰返し判断することで、シャッタキー９が半押し操作されていることを確認しながら、全押し操作されるのを待機する。
【０１１５】
ここで、シャッタキー９の半押し操作が解除された場合には、ステップＢ１７でこれを判断して上記撮影条件のロックを解き、再び上記ステップＢ０３からの処理に戻る。
【０１１６】
また、上記撮影条件をロックした状態から、シャッタキー９が全押し操作されると、ステップＢ１６でこれを判断し、次にその時点での制御部２２の内部カウンタｔ２のカウント値が一定値、例えば時間１［秒］に相当する値以下であるか否かを判断する（ステップＢ１８）。なお、なお、この内部カウンタｔ２のカウント値の一定値で表される時間は、予めユーザが任意に設定できるものとする。
【０１１７】
ここで、内部カウンタｔ２のカウント値が一定値より大きいと判断した場合には、シャッタキー９の半押し操作から全押し操作までの間にそれだけの時間が経過しているものとし、さして迅速な撮影が要求されているのではないものとして、通常の画像データの記録保存状態に移行する。
【０１１８】
すなわち、まず撮像による画像データを得た後（ステップＢ２３）、撮影により得た画像データをファイル化してメモリカード２８または内蔵メモリ２９に記録保存し（ステップＢ２４）、以上で一連の撮影に関する処理を終了して、再び次の撮影に備えるべく上記ステップＢ０３からの処理に戻る。
【０１１９】
また、上記ステップＢ１８で内部カウンタｔ２のカウント値が一定値以下である場合には、シャッタキー９を半押し操作してから全押し操作するまでの間にさほどの時間が経過しておらず、ユーザが急いでシャッタキー９を操作し、直ちに被写体を撮影したがっているものとして、できうる限りパンフォーカスに近い状態を設定するべく、その時点での撮影レンズ２のズーム位置に対応した、なるべく被写界深度が深くなる所定の合焦位置を固定設定する（ステップＢ１９）。
【０１２０】
このとき、上記図４に示した如くこのパンフォーカス設定においては、上記直前のステップＢ０４での自動ホワイトバランス処理により得た光源の色温度から、それが太陽光の色温度であるか否かにより、このデジタルスチルカメラ１がその時点で屋外にあるか否かを判断する（ステップＳ０１）。
【０１２１】
このステップＳ０１で自動ホワイトバランス処理により得た光源の色温度が太陽光の色温度であり、このカメラ１が屋外にあると判断した場合には、被写体もそれなりにカメラ１からある程度は離れているものと判定し、上記遠景用の固定焦点範囲となるようにレンズ光学系１２を位置設定した上で（ステップＳ０２）、このパンフォーカス設定のサブルーチンを終える。
【０１２２】
また、反対に上記ステップＳ０１で自動ホワイトバランス処理により得た光源の色温度が太陽光の色温度ではなく、このカメラ１が屋外にはないと判断した場合には、被写体もカメラ１からある程度近いものと判定し、上記近景用の固定焦点範囲となるようにレンズ光学系１２を位置設定した上で（ステップＳ０３）、このパンフォーカス設定のサブルーチンを終える。
【０１２３】
図７に戻り、上記ステップＢ１９でのパンフォーカス処理と併せて、上記直前のステップＢ０３で取得した適正露出値から、最大限絞り値を大きく設定し、それに対応してシャッタ速度を遅くする、所謂絞り込むＡＥ処理を実行した上で（ステップＢ２０）、即時画像データの記録保存状態に移行する。
【０１２４】
そして、撮像による画像データを得た後（ステップＢ２１）、得た画像データをファイル化してメモリカード２８または内蔵メモリ２９に記録保存し（ステップＢ２２）、以上で一連の撮影に関する処理を終了して、再び次の撮影に備えるべく上記ステップＢ０３からの処理に戻る。
【０１２５】
このように、上記第１の実施の形態で説明した場合に加えて、さらに電源投入直後の一定時間に限定してシャッタキー９の半押し操作によりパンフォーカスとなるような撮影を実行するようにしたので、特にデジタルスチルカメラ１の電源を投入していない状態から電源キー８操作により電源を投入して迅速に固定焦点での撮影を実行する場合などに有効であり、シャッタチャンスを逃してしまう可能性をより低減できる。
【０１２６】
（第３の実施の形態）
以下本発明をデジタルスチルカメラに適用した場合の第３の実施の形態について図面を参照して説明する。
【０１２７】
なお、その外観構成については上記図１と、電子回路構成については上記図２と基本的に同様であるものとして、同一部分には同一符号を用いるものとし、それらの図示及び説明は省略する。
【０１２８】
次に上記実施の形態の動作について説明する。
なお、以下に示す各処理は、基本的に制御部２２が予め固定記憶したプログラムに基づいて実行するものである。
【０１２９】
また、本実施の形態においては上記シャッタキー９が２段階のストローク操作で動作し、基本的な動作として第１段階のストローク操作、一般に「半押し」と呼称される状態でＡＦ動作を実行して合焦状態と露出状態とをロックし、その後の第２段階のストローク操作、一般に「全押し」と呼称される状態で上記ロックした合焦状態及び露出状態による撮影を実行するものとする。
【０１３０】
図８は、撮影モード時の処理内容を示すもので、その当初にはその時点で選択されている撮影レンズ２のズーム位置に対応した焦点距離でＡＥ処理を実行し、適正露出値を得て絞り値及びシャッタ速度を設定する（ステップＣ０１）。
【０１３１】
その上で、該シャッタ速度がこのモニタ状態のフレームレートに対応した値、例えばフレームレートが３０フレーム／［秒］であれば１／３０［秒］を充分越える高い速度となるように調整してＣＣＤ１３から画像を得、併せて自動ホワイトバランス（ＡＷＢ）処理により光源の色温度に対応したホワイトバランスとなるようにカラープロセス回路１８で調整を施した上で（ステップＢＣ０２）、表示部２６にスルー画像を表示しながら（ステップＣ０３）、キー入力部３０のシャッタキー９が半押し状態となったか否か判断する（ステップＣ０４）、という処理を繰返し実行することで、シャッタキー９が半押し状態となるのを待機する。
【０１３２】
しかして、シャッタキー９が半押し状態となるとステップＣ０４でこれを判断し、所定のフォーカスエリアにピントが合うようにＡＦ処理を開始する（ステップＣ０５）。このとき同時に、直前の上記ステップＣ０１でのＡＥ処理により取得した、適正な露出が得られる絞り値とシャッタ速度とをロックしておく。
【０１３３】
上記ステップＣ０５でＡＦ処理を開始してすぐに、シャッタキー９が全押し操作されたか否か（ステップＣ０６）、同シャッタキー９がまだ半押し操作されているか否か（ステップＣ０７）を繰返し判断することで、シャッタキー９が半押し操作されていることを確認しながら、全押し操作されるのを待機する。
【０１３４】
ここで、シャッタキー９の半押し操作が解除された場合には、ステップＣ０７でこれを判断して上記撮影条件のロックを解き、再び上記ステップＣ０１からの処理に戻る。
【０１３５】
また、シャッタキー９が全押し操作されると、ステップＣ０６でこれを判断し、次にその時点で上記ステップＣ０５で開始したＡＦ処理が完了して合焦位置がロックしているか否かを判断する（ステップＣ０８）。
【０１３６】
ここで、ＡＦ処理が完了しており、合焦位置がロックされていると判断した場合には、シャッタキー９の半押し状態から全押し状態に移行するまでの間にＡＦ処理の実行に充分なだけの時間が経過しているものとし、さして迅速な撮影が要求されているのではないものとして、基本動作に基づく画像データの記録保存状態に移行する。
【０１３７】
すなわち、ロックしている撮影条件に基づいて撮像による画像データを得た後（ステップＣ１３）、撮影により得た画像データをファイル化してメモリカード２８または内蔵メモリ２９に記録保存し（ステップＣ１４）、以上で一連の撮影に関する処理を終了して、再び次の撮影に備えるべく上記ステップＣ０１からの処理に戻る。
【０１３８】
また、上記ステップＣ０８でまだ合焦位置のロックはされておらず、ＡＦ処理が完了していないと判断した場合には、ユーザが急いでシャッタキー９を操作し、直ちに被写体を撮影したがっているものとして、できうる限りパンフォーカスに近い状態を設定するべく、その時点での撮影レンズ２のズーム位置に対応した、なるべく被写界深度が深くなる所定の合焦位置を固定設定する（ステップＣ０９）。
【０１３９】
このとき、上記図４に示した如くこのパンフォーカス設定においては、上記直前のステップＣ０１での自動ホワイトバランス処理により得た光源の色温度から、それが太陽光の色温度であるか否かにより、このデジタルスチルカメラ１がその時点で屋外にあるか否かを判断する（ステップＳ０１）。
【０１４０】
ここで、上記撮影レンズ２を構成するレンズ光学系１２が、例えば０．４［ｍ］〜１０［ｍ］の範囲内であればいずれも被写体に合焦する近景用の固定焦点範囲と、１．５［ｍ］〜無限遠（∞）の範囲内であればいずれも被写体に合焦する遠景用の固定焦点範囲の２段階の固定焦点範囲を有しているものとする。
【０１４１】
上記ステップＳ０１で自動ホワイトバランス処理により得た光源の色温度が太陽光の色温度であり、このカメラ１が屋外にあると判断した場合には、被写体もそれなりにカメラ１からある程度は離れているものと判定し、上記遠景用の固定焦点範囲となるようにレンズ光学系１２を位置設定した上で（ステップＳ０２）、このパンフォーカス設定のサブルーチンを終える。
【０１４２】
また、反対に上記ステップＳ０１で自動ホワイトバランス処理により得た光源の色温度が太陽光の色温度ではなく、このカメラ１が屋外にはないと判断した場合には、被写体もカメラ１からある程度近いものと判定し、上記近景用の固定焦点範囲となるようにレンズ光学系１２を位置設定した上で（ステップＳ０３）、このパンフォーカス設定のサブルーチンを終える。
【０１４３】
図８に戻り、上記ステップＣ０９でのパンフォーカス処理と併せて、直前の上記ステップＣ０１で得た適正露出値から、最大限絞り値を大きく設定し、それに対応してシャッタ速度を遅くする、所謂絞り込むＡＥ処理を実行した上で（ステップＣ１０）、即時画像データの記録保存状態に移行する。
【０１４４】
すなわち、まず撮像により画像データを得た後（ステップＣ１１）、得た画像データをファイル化してメモリカード２８または内蔵メモリ２９に記録保存し（ステップＣ１２）、以上で一連の撮影に関する処理を終了して、再び次の撮影に備えるべく上記ステップＣ０１からの処理に戻る。
【０１４５】
このように、シャッタキー９の半押し操作でＡＦ動作を開始し、それが完了する前に早くもシャッタキー９が全押し操作された場合には、ＡＦ動作を続行せずに即時パンフォーカスとなる設定に切換えて撮影を実行するようにしたので、ユーザの操作意図を汲んで迅速にパンフォーカス状態での撮影を実行し、シャッタチャンスを逃してしまう可能性をより低減できる。
【０１４６】
なお、上記第１乃至第３の実施の形態では、固定範囲を近景用と遠景用の２つであるものとして説明したが、本発明はこれに限るものではなく、撮影レンズ２を構成するレンズ光学系１２の光学的な特性と、このデジタルスチルカメラ１を設計するにあたって要求されているカメラとしての使用のされ方の性格付け等に応じて、ただ一つの合焦焦点範囲を有するものとしてもよいし、あるいは３つ以上の合焦焦点範囲を有するものとしてもよい。
【０１４７】
また、上記第１乃至第３の実施の形態では、複数の固定焦点範囲を有するものとし、被写体像がどの固定焦点範囲に位置しているのかを判定するための要因を、自動ホワイトバランス調整で得られる光源の色温度により求めるものとして説明したが、本発明はこれも限定するものではなく、他にも例えば、光源に周期的なフリッカ（ちらつき）を生じていれば蛍光灯が光源であるので室内であると判定し、あるいはその時点で設定されているストロボの発光モードや選択されているシーンプログラム等からも室内と屋外とを区別するなど、複数設定された固定焦点範囲の中から１つを判定する方法は種々考え出すことができる。
【０１４８】
（第４の実施の形態）
以下本発明をカメラ機能付きのＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯電話機に適用した場合の第４の実施の形態について図面を参照して説明する。
【０１４９】
図９（Ａ），（Ｂ）は、この第４の実施の形態に係る携帯電話機４０の外観構成を示すもので、ヒンジ部４１を介在して２つの筐体４２，４３が一定の角度範囲内で回動自在に一体に構成された折りたたみ式となっており、図９（Ａ）が最大限に開いた状態の内面を、図９（Ｂ）が折りたたんだ状態の主として上部筐体４２の外面を示す。
【０１５０】
図９（Ａ）に示すように上部筐体４２の内面には、受話器となるスピーカ４４及びメイン表示部４５が備えられる。
一方、下部筐体４３の内面には、ダイヤルキー等を含む各種キー４６及び送話器となるマイクロホン４７が備えられる。
【０１５１】
また、図９（Ｂ）に示すように、上部筐体４２の外面には、カメラ部４８、撮影ライト４９、及びサブ表示部５０が備えられる。さらに、下部筐体４３内にも延在されているアンテナ５１がヒンジ部４１より外部に突出形成される。
【０１５２】
ここでカメラ部４８は、焦点距離を無段階に可変するズーム機能及びＡＦ機能を有するものとする。
上記各種キー４６には、ダイヤルキーや電源キー、回線接続、回線切断等のキーと共に、カメラモードを設定するカメラキー４６ａ、シャッタキーとしても機能するセット（ＳＥＴ）キー４６ｂを備え、さらに上記ヒンジ部４１のアンテナ５１を備えていない側の側端面にシャッタキー４６ｃ、上記カメラ部４８のズーム、露出値等を指示する、上記セットキー４６ｂを中心に位置したリングキー４６ｄを備える。
【０１５３】
図１０は、上記携帯電話機４０の回路構成を示すものである。同図で、上記アンテナ５１は最寄りの基地局とＣＤＭＡ方式の通信を行ない、このアンテナ５１にＲＦ部６１を接続している。
【０１５４】
このＲＦ部６１は、受信時にはアンテナ５１から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部６２へ出力する。
【０１５５】
一方、ＲＦ部６１は送信時に、変復調部６２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部６５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ５１より輻射送信させる。
【０１５６】
変復調部６２は、受信時にＲＦ部６１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、デジタル化してＣＤＭＡ部６３に出力する。
【０１５７】
一方、変復調部６２は送信時に、ＣＤＭＡ部６３から送られてくるデジタル値のＩ・Ｑ信号をアナログ化した後に直交変調器でＯＱＰＳＫ変調してＲＦ部６１に送出する。
【０１５８】
ＣＤＭＡ部６３は、受信時に変復調部６２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部６４に出力する。
【０１５９】
一方、ＣＤＭＡ部６３は送信時に、音声処理部６４からの出力シンボルを拡散処理した後にデジタルフィルタで帯域制限をかけてＩ・Ｑ信号とし、変復調部６２に送出する。
【０１６０】
音声処理部６４は、受信時にＣＤＭＡ部６３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ（ＳＰ）４４を拡声駆動させる。
【０１６１】
一方、音声処理部７４は送信時に、上記マイクロホン（ＭＩＣ）４７から入力されるアナログの音声信号をデジタル化した後に音声処理ＤＳＰでデータ量を圧縮し、それから畳込み符号器で誤り訂正符号化してからインタリーブし、その出力シンボルをＣＤＭＡ部６３へ送出する。
【０１６２】
しかして、上記ＲＦ部６１、変復調部６２、ＣＤＭＡ部６３、及び音声処理部６４に対して制御部６５を接続し、この制御部６５にＧＰＳレシーバ６６、画像撮影部６７、画像処理部６８、上記メイン表示部４５、上記サブ表示部５０、メモリカード６９、バイブレータ部７０、及びＬＥＤ駆動部７１を接続している。
【０１６３】
ここで制御部６５は、ＣＰＵと、後述するカメラモードでの撮影動作等を含むその動作プログラムを固定的に記憶したＲＯＭ、及びワークメモリとして使用されるＲＡＭ等で構成され、この携帯電話機４０全体の動作を制御する。
【０１６４】
ＧＰＳレシーバ６６は、ＧＰＳアンテナ７２が受信する複数のＧＰＳ衛星からの測位情報により現在位置の緯度、経度、及び高度と正確な現在時刻とを算出し、制御部６５へ出力する。
【０１６５】
画像撮影部６７は、制御部６５の制御の下に、上記カメラ部４８を構成する、モータ（Ｍ）７３により位置駆動される光学レンズ系７４の撮影光軸後方に配置されたＣＣＤ７５での撮影動作を制御し、撮影により得られる画像データをデジタル化して出力する。
【０１６６】
画像処理部６８は、画像撮影部６７より得られる画像データを例えばＪＰＥＧ方式に基づいてデータ圧縮する一方で、受信した画像データのデータ圧縮を解いて伸長し、元のビットマップ状の画像データを得る。
【０１６７】
メモリカード６９は、この携帯電話機４０に着脱自在に備えられるもので、自機で撮影した画像データや受信により得た画像データ等を記憶しておく。
【０１６８】
バイブレータ部７０は、着信時等に予め設定された振動パターン及び振動強度で振動する。
【０１６９】
ＬＥＤ駆動部７１は、上記撮影ライト４９を構成する高輝度白色ＬＥＤの駆動回路でなるものであり、必要によりカメラ部４８の撮影対象となる被写体方向に向けて補助光を照射する。
【０１７０】
なお、上記メイン表示部４５及びサブ表示部５０は、いずれもバックライト付きの反射／透過型カラー液晶パネルとその駆動回路で構成され、バックライトを点灯して透過型液晶としての表示が可能である一方、見やすさは多少落ちるものの、バックライトを消灯して外光を用いた反射型液晶としての表示も可能であるものとする。
【０１７１】
また、図示はしないが、上記ヒンジ部４１には上部筐体４２と下部筐体４３の展開状態及び折りたたみ状態を検出するための機構を有するものとする。この検出機構からの情報によりメイン表示部４５は、カメラ部４８により画像を撮影しようとすべく各種キー４６のカメラキー４６ａを操作して移行するカメラモードにおいて、上記図９（Ａ）に示したように上部筐体４２と下部筐体４３を開いた展開状態では、この携帯電話機４０のユーザが自分以外の他者を撮影しようとする「相手撮り」を行なおうとしているものと判断し、サブ表示部５０での表示を停止してメイン表示部４５でカメラ部４８でのモニタ画像を表示させる。このとき、各種キー４６のセットキー４６ｂ及びシャッタキー４６ｃのいずれを操作しても画像の撮影を実行する。
【０１７２】
反対に、上記図９（Ｂ）に示したように上部筐体４２と下部筐体４３を閉じた折りたたみ状態では、この携帯電話機４０のユーザが自分自身を撮影しようとする「自分撮り」を行なおうとしているものと判断し、メイン表示部４５での表示を停止してサブ表示部５０でカメラ部４８でのモニタ画像を表示させる。このとき、シャッタキー４６ｃを操作することで画像の撮影を実行する。
【０１７３】
なお、この携帯電話機４０においても、上記第１乃至第３の実施の形態のデジタルスチルカメラ１と同様に、静止画のみならず動画の記録と再生とが可能であるものとする。
【０１７４】
その場合、撮影により得た静止画データ及び動画データはいずれもメモリカード６９に記憶し、このメモリカード６９に記憶した内容を再生モード下での選択指示により任意にメイン表示部４５で再生出力することが可能であると共に、適宜電子メールの添付ファイルとして選択設定することで、通信相手にも送信することが可能であるものとする。
【０１７５】
次に上記実施の形態の動作について説明する。
なお、ここでは各種キー４６のセットキー４６ｂ及びシャッタキー４６ｃはいずれも、１段階のストローク操作により即時撮影を実行するものとする。
【０１７６】
以下に示す各処理は、基本的に制御部６５が予め固定記憶されたプログラムに基づいて実行するものである。
図１１は、各種キー４６のカメラキー４６ａを操作してカメラモードを設定した状態での静止画撮影時の処理内容を示すものである。その当初には、その時点で選択されているカメラ部４８のズーム位置に対応した焦点距離でＡＥ処理を実行し（ステップＤ０１）、適正露出値を得て絞り値及びシャッタ速度を設定した上でそれらに基づいてＣＣＤ７５から画像を得、メイン表示部４５またはサブ表示部５０にスルー画像を表示しながら（ステップＤ０２）、各種キー４６のセットキー４６ｂまたはシャッタキー４６ｃが押圧操作されたか否かを判断する（ステップＤ０３）、という判断を繰返し実行することで、セットキー４６ｂまたはシャッタキー４６ｃが操作されるのを待機する。
【０１７７】
しかして、セットキー４６ｂまたはシャッタキー４６ｃが操作されるとステップＤ０３でこれを判断し、直前の上記ステップＤ０１のＡＥ処理で取得した適正露出値（ＥＶ値）が、予め設定されている露出しきい値（ＥＶｔｈ）より大きいか否かにより、その時点での適正露出値が充分な輝度を有する内容であるか否かを判断する（ステップＤ０４）。
【０１７８】
ここで、適正露出値が予め設定されている露出しきい値より大きく、充分な輝度を有すると判断した場合には、できうる限りパンフォーカスに近い状態を設定するべく、その時点での撮影レンズ２のズーム位置に対応した、なるべく被写界深度が深くなる所定の合焦位置を固定設定し（ステップＤ０５）、併せて直前の上記ステップＤ０１で得た適正露出値から、最大限絞り値を大きく設定し、それに対応してシャッタ速度を遅くする、所謂絞り込むＡＥ処理を実行した上で（ステップＤ０６）、画像データの記録保存状態に移行する。
【０１７９】
すなわち、撮像による画像データを得た後（ステップＤ０９）、撮影により得た画像データを画像処理部６８でファイル化してメモリカード６９に記録保存し（ステップＤ１０）、以上で一連の撮影に関する処理を終了して、再び次の撮影に備えるべく上記ステップＤ０１からの処理に戻る。
【０１８０】
また、上記ステップＤ０４で適正露出値が予め設定されている露出しきい値以下であり、充分な輝度がないと判断した場合には、パンフォーカスを得るための絞り込みを行なうと画像が暗いものとなってしまうため、あえて所定のフォーカスエリアにピントが合うようにＡＦ処理を行なって合焦位置を得（ステップＤ０７）、同時に直前の上記ステップＤ０１でのＡＥ処理により取得した、適正な露出が得られる絞り値とシャッタ速度とを確定した上で（ステップＤ０８）画像データの記録保存状態に移行する。
【０１８１】
すなわち、撮像による画像データを得た後（ステップＤ０９）、撮影により得た画像データを画像処理部６８でファイル化してメモリカード６９に記録保存し（ステップＤ１０）、以上で一連の撮影に関する処理を終了して、再び次の撮影に備えるべく上記ステップＤ０１からの処理に戻る。
【０１８２】
この場合、ＡＦ処理により画像を撮影して記録したことを、メイン表示部４５またはサブ表示部５０の画面中央に例えば「ＡＦ」または「オートフォーカス」の文字列にて表示することにより、ユーザに対してパンフォーカスで撮影するつもりであったが、オートフォーカスで撮影が実行されたことを知らせることができる。
【０１８３】
このように、ＡＥ処理により画像が低輝度であると判断される場合には、固定焦点とするために絞り値を大きく設定するとその分の光量低下をシャッタ速度をより低速度とすることでも補償しきれず、どうしても画像が暗くなってしまうため、あえて適正露出によるＡＦ処理を優先して実行させることで、撮影の失敗を回避できる。
【０１８４】
（第５の実施の形態）
以下本発明をカメラ機能付きのＣＤＭＡ方式の携帯電話機に適用した場合の第５の実施の形態について図面を参照して説明する。
【０１８５】
なお、その外観構成については上記図９と、電子回路構成については上記図１０と基本的に同様であるものとして、同一部分には同一符号を用いるものとし、それらの図示及び説明は省略する。
【０１８６】
次に上記実施の形態の動作について説明する。
なお、ここでは各種キー４６のセットキー４６ｂ及びシャッタキー４６ｃはいずれも、１段階のストローク操作により即時撮影を実行するものとする。
【０１８７】
以下に示す各処理は、基本的に制御部６５が予め固定記憶されたプログラムに基づいて実行するものである。
図１２は、各種キー４６のカメラキー４６ａを操作してカメラモードを設定した状態での静止画撮影時の処理内容を示すものである。その当初には、その時点で選択されているカメラ部４８のズーム位置に対応した焦点距離でＡＥ処理を実行し（ステップＥ０１）、適正露出値を得て絞り値及びシャッタ速度を設定した上でそれらに基づいてＣＣＤ７５から画像を得、メイン表示部４５またはサブ表示部５０にスルー画像を表示しながら（ステップＥ０２）、各種キー４６のセットキー４６ｂまたはシャッタキー４６ｃが押圧操作されたか否か（ステップＥ０３）、光学レンズ系７４によるズーム位置の移動が各種キー４６のリングキー４６ｄの「△」キーまたは「▽」キーにより指示されたか否か（ステップＥ０４）を順次判断する、という判断を繰返し実行することで、セットキー４６ｂまたはシャッタキー４６ｃが操作されるか、リングキー４６ｄの「△」キーまたは「▽」キーが操作されるのを待機する。
【０１８８】
ここで、リングキー４６ｄの「△」キーまたは「▽」キーが操作された場合、ステップＥ０４でこれを判断し、その操作された内容によりモータ７３が光学レンズ系７４を駆動してズームアップまたはズームダウンを実行した上で（ステップＥ０５）、再び上記ステップＥ０１からの処理に戻る。
【０１８９】
しかして、セットキー４６ｂまたはシャッタキー４６ｃが操作されるとステップＥ０３でこれを判断し、その時点でのズーム位置に対応する焦点距離（ｆ）が、予め設定されている焦点距離しきい値（ｆｔｈ）より小さいか否かにより、被写界深度の点からパンフォーカスの効果が得られるか否かを判断する（ステップＥ０６）。
【０１９０】
ここで、その時点での焦点距離が予め設定されている焦点距離しきい値より小さく、被写界深度を充分深く設定してほぼパンフォーカスの効果を得ることができると判断した場合には、できうる限りパンフォーカスに近い状態を設定するべく、その時点での撮影レンズ２のズーム位置に対応した、なるべく被写界深度が深くなる所定の合焦位置を固定設定し（ステップＥ０７）、併せて直前の上記ステップＥ０１で得た適正露出値から、最大限絞り値を大きく設定し、それに対応してシャッタ速度を遅くする、所謂絞り込むＡＥ処理を実行した上で（ステップＥ０８）、画像データの記録保存状態に移行する。
【０１９１】
すなわち、撮像による画像データを得た後（ステップＥ１１）、撮影により得た画像データを画像処理部６８でファイル化してメモリカード６９に記録保存し（ステップＥ１２）、以上で一連の撮影に関する処理を終了して、再び次の撮影に備えるべく上記ステップＥ０１からの処理に戻る。
【０１９２】
また、上記ステップＥ０６でその時点での焦点距離が予め設定されている焦点距離しきい値以上であり、被写界深度を深く設定してパンフォーカスの効果を得ることはできないと判断した場合には、あえて所定のフォーカスエリアにピントが合うようにＡＦ処理を行なって合焦位置を得（ステップＥ０９）、同時に直前の上記ステップＥ０１でのＡＥ処理により取得した、適正な露出が得られる絞り値とシャッタ速度とを確定した上で（ステップＥ１０）、画像データの記録保存状態に移行する。
【０１９３】
すなわち、撮像による画像データを得た後（ステップＥ１１）、撮影により得た画像データを画像処理部６８でファイル化してメモリカード６９に記録保存し（ステップＥ１２）、以上で一連の撮影に関する処理を終了して、再び次の撮影に備えるべく上記ステップＥ０１からの処理に戻る。
【０１９４】
この場合、ＡＦ処理により画像を撮影して記録したことを、メイン表示部４５またはサブ表示部５０の画面中央に例えば「ＡＦ」または「オートフォーカス」の文字列にて表示することにより、ユーザに対してパンフォーカスで撮影するつもりであったが、オートフォーカスで撮影が実行されたことを知らせることができる。
【０１９５】
このように、焦点距離が大きく、望遠側であると判断される場合には、露出で絞り込みを行なっても被写界深度が狭く、パンフォーカスの効果を得ることが困難となるため、自動焦点を優先することで、撮影の失敗を回避できる。
【０１９６】
（第６の実施の形態）
以下本発明をカメラ機能付きのＣＤＭＡ方式の携帯電話機に適用した場合の第６の実施の形態について図面を参照して説明する。
【０１９７】
なお、その外観構成については上記図９と、電子回路構成については上記図１０と基本的に同様であるものとして、同一部分には同一符号を用いるものとし、それらの図示及び説明は省略する。
【０１９８】
次に上記実施の形態の動作について説明する。
なお、ここでは各種キー４６のセットキー４６ｂ及びシャッタキー４６ｃはいずれも、１段階のストローク操作により即時撮影を実行するものとする。
【０１９９】
以下に示す各処理は、基本的に制御部６５が予め固定記憶されたプログラムに基づいて実行するものである。
図１３は、各種キー４６のカメラキー４６ａを操作してカメラモードを設定した状態での静止画撮影時の処理内容を示すものである。その当初には、まずユーザのモード設定によりマニュアル露出モードが設定されているか否かを判断し（ステップＦ０１）、設定されていれば、ユーザの各種キー４６のリングキー４６ｄによるマニュアル操作通りの露出値を設定する一方で（ステップＦ０２）、マニュアル露出モードが設定されていなければ、その時点で選択されているカメラ部４８のズーム位置に対応した焦点距離でＡＥ処理を実行する（ステップＦ０３）。
【０２００】
そして、上記露出状態に対応した絞り値及びシャッタ速度に基づいてＣＣＤ７５から画像を得、メイン表示部４５またはサブ表示部５０にスルー画像を表示しながら（ステップＦ０４）、各種キー４６のセットキー４６ｂまたはシャッタキー４６ｃが押圧操作されたか否か（ステップＦ０５）、さらに露出に関する設定変更操作がなされたか否か（ステップＦ０６）を順次判断する、という判断を繰返し実行することで、セットキー４６ｂまたはシャッタキー４６ｃが操作されるか、露出の変更設定操作がなされるのを待機する。
【０２０１】
ここで、露出の変更設定操作がなされた場合、ステップＦ０６でこれを判断し、露出モードをＡＥとマニュアル露出の一方に変更するなどの処理を含む、その操作された内容に対応した適宜露出設定の変更を実行した上で（ステップＦ０７）、再び上記ステップＦ０１からの処理に戻る。
【０２０２】
しかして、セットキー４６ｂまたはシャッタキー４６ｃが操作されるとステップＦ０５でこれを判断し、次にその時点でユーザのモード設定によりマニュアル露出モードが設定されているか否かを判断する（ステップＦ０８）。
【０２０３】
ここで、マニュアル露出モードが設定されておらず、直前のステップＦ０３でＡＥ処理を実行したと判断した場合には、できうる限りパンフォーカスに近い状態を設定するべく、その時点での撮影レンズ２のズーム位置に対応した、なるべく被写界深度が深くなる所定の合焦位置を固定設定し（ステップＦ１１）、併せて直前の上記ステップＥ０１で得た適正露出値から、最大限絞り値を大きく設定し、それに対応してシャッタ速度を遅くする、所謂絞り込むＡＥ処理を実行した上で（ステップＦ１２）、画像データの記録保存状態に移行する。
【０２０４】
すなわち、撮像による画像データを得た後（ステップＦ１３）、撮影により得た画像データを画像処理部６８でファイル化してメモリカード６９に記録保存し（ステップＦ１４）、以上で一連の撮影に関する処理を終了して、再び次の撮影に備えるべく上記ステップＦ０１からの処理に戻る。
【０２０５】
また、上記ステップＦ０８でその時点でマニュアル露出モードが設定されており、ユーザが任意に露出条件を設定していると判断した場合には、パンフォーカス効果を得るために絞り込み動作を行なうと、ユーザの設定した露出条件が変わってしまうため、あえて所定のフォーカスエリアにピントが合うようにＡＦ処理を行なって合焦位置を得（ステップＦ０９）、同時に直前の上記ステップＦ０２でのマニュアル露出処理により設定されている絞り値とシャッタ速度とを確定した上で（ステップＦＥ１０）、画像データの記録保存状態に移行する。
【０２０６】
すなわち、撮像による画像データを得た後（ステップＥ１１）、撮影により得た画像データを画像処理部６８でファイル化してメモリカード６９に記録保存し（ステップＥ１２）、以上で一連の撮影に関する処理を終了して、再び次の撮影に備えるべく上記ステップＥ０１からの処理に戻る。
【０２０７】
この場合、ＡＦ処理により画像を撮影して記録したことを、メイン表示部４５またはサブ表示部５０の画面中央に例えば「ＡＦ」または「オートフォーカス」の文字列にて表示することにより、ユーザに対してパンフォーカスで撮影するつもりであったが、オートフォーカスで撮影が実行されたことを知らせることができる。
【０２０８】
このように、ユーザによるマニュアル露出が設定されている状態では、パンフォーカスの効果を得るべく絞り値を大きく設定すると、ユーザが設定した露出の値が変わってしまう可能性があるため、あえて固定焦点とはせずに自動合焦処理を実行することで、ユーザの撮影意図を変更してしまうことなく優先できる。
【０２０９】
なお、上記第１乃至第３の実施の形態はいずれも本発明をデジタルスチルカメラに適用した場合について説明したものであり、また上記第４乃至第６の実施の形態はいずれも本発明をカメラ機能付きのＣＤＭＡ方式の携帯電話機に適用した場合について説明したものであるが、本発明はこれらに限らず、他にもカメラ機能付きのＰＤＡ（Ｐｅｒｓｏｎａｌ  Ｄｉｇｉｔａｌ  Ａｓｓｉｓｔａｎｔｓ：個人向け携帯情報端末）やモバイルコンピュータ、静止画撮影も可能なビデオムービーカメラや、さらには銀塩フィルムを用いた（スチル）カメラにも適用することが可能である。
【０２１０】
また、上記第１乃至第３の実施の形態をカメラ機能付きのＣＤＭＡ方式の携帯電話機に適用すること、上記第４乃至第６の実施の形態をデジタルカメラに適用することも当然可能である。
【０２１１】
例えば、カメラ機能付きのＣＤＭＡ方式の携帯電話機のセットキー４６ｂまたはシャッタキー４６ｃを２段階のストローク操作で動作できるようにし、カメラモードを設定した場合は、デジタルカメラと同様に「半押し」「全押し」を判断するようにすれば、上記第１乃至第３の実施の形態をカメラ機能付きのＣＤＭＡ方式の携帯電話機に適用できる。
【０２１２】
また、カメラ機能付きのＣＤＭＡ方式の携帯電話機のシャッタキー操作の判断（ステップＤ０３、ステップＥ０３、ステップＦ０５）を、デジタルカメラでのシャッタキー全押しの判断とすれば、上記第４乃至第６の実施の形態をデジタルカメラに適用することができる。
【０２１３】
さらに、上記第１乃至第３の実施の形態では、近景用と遠景用の２つの固定焦点範囲を有するものとしてそのいずれかを判定するものとしたが、第４乃至第６の実施の形態のいずれも同様に複数の固定焦点範囲を有するものとしてもよく、加えてその判定方法も特に限定するものではない。
【０２１４】
その他、本発明は上記実施の形態に限らず、その要旨を逸脱しない範囲内で種々変形して実施することが可能であるものとする。
【０２１５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０２１６】
【図１】本発明の第１の実施の形態に係るデジタルスチルカメラの外観構成を示す斜視図。
【図２】同実施の形態に係る電子回路の機能構成を示すブロック図。
【図３】同実施の形態に係る撮影モードでの処理内容を示すフローチャート。
【図４】同実施の形態（乃至第３の実施の形態）のパンフォーカス設定のサブルーチンの処理内容を示すフローチャート。
【図５】同実施の形態に係るパンフォーカス設定時の撮影後のデータ表示状態を例示する図。
【図６】本発明の第２の実施の形態に係るデジタルスチルカメラでの電源投入と撮影モードの処理内容を示すフローチャート。
【図７】同実施の形態に係るデジタルスチルカメラでの撮影モードの処理内容を示すフローチャート。
【図８】本発明の第３の実施の形態に係るデジタルスチルカメラでの撮影モードの処理内容を示すフローチャート。
【図９】本発明の第４の実施の形態に係る携帯電話機の外観構成を示す図。
【図１０】同実施の形態に係る電子回路の機能構成を示すブロック図。
【図１１】同実施の形態に係るカメラモードでの処理内容を示すフローチャート。
【図１２】本発明の第５の実施の形態に係る携帯電話機でのカメラモードの処理内容を示すフローチャート。
【図１３】本発明の第６の実施の形態に係る携帯電話機でのカメラモードの処理内容を示すフローチャート。
【符号の説明】
【０２１７】
１…デジタルスチルカメラ、２…撮影レンズ、３…セルフタイマランプ、４…光学ファインダ窓、５…マイクロホン部（ＭＩＣ）、６…ストロボ発光部、７…グリップバー、８…電源キー、９…シャッタキー、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…デジタルビデオエンコーダ、２６…表示部、２７…ＪＰＥＧ回路、２８…メモリカード、２９…内蔵メモリ、３０…キー入力部、３１…音声処理部、３２…ストロボ駆動部、３３…スピーカ部（ＳＰ）、４０…携帯電話機、４１…ヒンジ部、４２…上部筐体、４３…下部筐体、４４…スピーカ、４５…メイン表示部、４６…各種キー、４６ａ…カメラキー、４６ｂ…セット（ＳＥＴ）キー、４６ｃ…シャッタキー、４６ｄ…リングキー、４７…マイクロホン、４８…カメラ部、４９…撮影ライト、５０…サブ表示部、５１…アンテナ、６１…ＲＦ部、６２…変復調部、６３…ＣＤＭＡ部、６４…音声処理部、６５…制御部、６６…ＧＰＳレシーバ、６７…画像撮影部、６８…画像処理部、６９…メモリカード、７０…バイブレータ部、７１…ＬＥＤ駆動部、７２…ＧＰＳアンテナ、７３…モータ（Ｍ）、７４…光学レンズ系、７５…ＣＣＤ。
【図１】
2008134646.tif 000003
【図２】
2008134646.tif 000004
【図３】
2008134646.tif 000005
【図４】
2008134646.tif 000006
【図５】
2008134646.tif 000007
【図６】
2008134646.tif 000008
【図７】
2008134646.tif 000009
【図８】
2008134646.tif 000010
【図９】
2008134646.tif 000011
【図１０】
2008134646.tif 000012
【図１１】
2008134646.tif 000013
【図１２】
2008134646.tif 000014
【図１３】
2008134646.tif 000015
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
自動合焦機能を有し、被写体像を撮影する撮影手段と、
２段階の操作ストロークを有し、第１段階の操作で自動合焦を、第２段階の操作で撮影を指示する指示手段と、
この指示手段による所定の第１段階及び第２段階の指示操作状態を検出する検出手段と、
この検出手段により上記第１段階の指示操作状態が検出された時点で上記撮影手段の自動合焦機能の動作を開始させる自動合焦制御手段と、
上記検出手段により上記第２段階の指示操作状態が検出された時点で上記自動合焦制御手段により開始された上記撮影手段の自動合焦機能の動作が完了しているか否かを判断する判断手段と、
この判断手段により上記撮影手段の自動合焦機能の動作が完了していないと判断された場合、上記撮影手段を、一定の被写界深度が得られる固定焦点位置とする焦点制御手段と
を具備したことを特徴とする撮像装置。
【請求項２】
上記判断手段により上記撮影手段の自動合焦機能の動作が完了していると判断された場合、上記撮影手段を固定焦点位置とすることなく直ちに上記撮影手段に撮影動作を開始させる撮影制御手段をさらに具備したことを特徴とする請求項１記載の撮像装置。
【請求項３】
上記撮影制御手段は、さらに上記焦点制御手段が上記撮影手段を固定焦点位置とした後、直ちに上記撮影手段に撮影動作を開始させる手段を含むことを特徴とする請求項２記載の撮像装置。
【請求項４】
複数の固定焦点範囲から、被写体像の位置する固定焦点範囲を判定する焦点範囲判定手段をさらに具備し、
上記焦点制御手段は、上記焦点範囲判定手段により判定された固定焦点範囲となる固定焦点位置とする
ことを特徴とする請求項１乃至３の何れかに記載の撮像装置。
【請求項５】
上記撮影手段は、光源に応じた色温度調整を行なう自動ホワイトバランス機能を有し、
上記焦点範囲判定手段は、この自動ホワイトバランス機能による色温度調整の結果に応じて被写体像の位置する固定焦点範囲を判定する
ことを特徴とする請求項４記載の撮像装置。
【請求項６】
上記焦点範囲判定手段が被写体像の位置する固定焦点範囲を判定した結果を報知する報知手段をさらに具備したことを特徴とする請求項４又は５記載の撮像装置。
【請求項７】
自動合焦機能を備え、２段階動作するシャッタキーの第１段階の操作で自動合焦を、第２段階の操作で撮影を実行する撮像装置での撮像方法であって、
上記シャッタキーによる所定の第１段階及び第２段階の指示操作状態を検出する検出工程と、
この検出工程により上記第１段階の指示操作状態が検出された時点で上記自動合焦機能の動作を開始させる自動合焦制御工程と、
上記検出工程により上記第２段階の指示操作状態が検出された時点で上記自動合焦機能の動作が完了しているか否かを判断する判断工程と、
この判断工程により上記自動合焦機能の動作が完了していないと判断された場合、一定の被写界深度が得られる固定焦点位置とする焦点制御工程と
を有したことを特徴とする撮像方法。
【請求項８】
自動合焦機能を備え、２段階動作するシャッタキーの第１段階の操作で自動合焦を、第２段階の操作で撮影を実行する撮像装置に内蔵したコンピュータが実行するプログラムであって、
上記シャッタキーによる所定の第１段階及び第２段階の指示操作状態を検出する検出ステップと、
この検出ステップにより上記第１段階の指示操作状態が検出された時点で上記自動合焦機能の動作を開始させる自動合焦制御ステップと、
上記検出ステップにより上記第２段階の指示操作状態が検出された時点で上記自動合焦機能の動作が完了しているか否かを判断する判断ステップと、
この判断ステップにより上記自動合焦機能の動作が完了していないと判断された場合、一定の被写界深度が得られる固定焦点位置とする焦点制御ステップと
を実行させることを特徴とするプログラム。
【手続補正２】
【補正対象書類名】明細書
【補正対象項目名】０００５
【補正方法】変更
【補正の内容】
【０００５】
請求項１記載の発明は、自動合焦機能を有し、被写体像を撮影する撮影手段と、２段階の操作ストロークを有し、第１段階の操作で自動合焦を、第２段階の操作で撮影を指示する指示手段と、この指示手段による所定の第１段階及び第２段階の指示操作状態を検出する検出手段と、この検出手段により上記第１段階の指示操作状態が検出された時点で上記撮影手段の自動合焦機能の動作を開始させる自動合焦制御手段と、上記検出手段により上記第２段階の指示操作状態が検出された時点で上記撮影手段の自動合焦機能の動作が完了しているか否かを判断する判断手段と、この判断手段により上記撮影手段の自動合焦機能の動作が完了していないと判断された場合、上記撮影手段を、一定の被写界深度が得られる固定焦点位置とする焦点制御手段とを具備したことを特徴とする。
【手続補正３】
【補正対象書類名】明細書
【補正対象項目名】０００６
【補正方法】変更
【補正の内容】
【０００６】
請求項２記載の発明は、上記請求項１記載の発明において、上記判断手段により上記撮影手段の自動合焦機能の動作が完了していると判断された場合、上記撮影手段を固定焦点位置とすることなく直ちに上記撮影手段に撮影動作を開始させる撮影制御手段をさらに具備したことを特徴とする。
【手続補正４】
【補正対象書類名】明細書
【補正対象項目名】０００７
【補正方法】変更
【補正の内容】
【０００７】
請求項３記載の発明は、上記請求項２記載の発明において、上記撮影制御手段は、さらに上記焦点制御手段が上記撮影手段を固定焦点位置とした後、直ちに上記撮影手段に撮影動作を開始させる手段を含むことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項４記載の発明は、上記請求項１乃至３の何れかに記載の発明において、複数の固定焦点範囲から、被写体像の位置する固定焦点範囲を判定する焦点範囲判定手段をさらに具備し、上記焦点制御手段は、上記焦点範囲判定手段により判定された固定焦点範囲となる固定焦点位置とすることを特徴とする。
【手続補正１０】
【補正対象書類名】明細書
【補正対象項目名】００１３
【補正方法】変更
【補正の内容】
【００１３】
請求項５記載の発明は、上記請求項４記載の発明において、上記撮影手段は、光源に応じた色温度調整を行なう自動ホワイトバランス機能を有し、上記焦点範囲判定手段は、この自動ホワイトバランス機能による色温度調整の結果に応じて被写体像の位置する固定焦点範囲を判定することを特徴とする。
【手続補正１１】
【補正対象書類名】明細書
【補正対象項目名】００１４
【補正方法】変更
【補正の内容】
【００１４】
請求項６記載の発明は、上記請求項４又は５記載の発明において、上記焦点範囲判定手段が被写体像の位置する固定焦点範囲を判定した結果を報知する報知手段をさらに具備したことを特徴とする。
【手続補正１２】
【補正対象書類名】明細書
【補正対象項目名】００１５
【補正方法】変更
【補正の内容】
【００１５】
請求項７記載の発明は、自動合焦機能を備え、２段階動作するシャッタキーの第１段階の操作で自動合焦を、第２段階の操作で撮影を実行する撮像装置での撮像方法であって、上記シャッタキーによる所定の第１段階及び第２段階の指示操作状態を検出する検出工程と、この検出工程により上記第１段階の指示操作状態が検出された時点で上記自動合焦機能の動作を開始させる自動合焦制御工程と、上記検出工程により上記第２段階の指示操作状態が検出された時点で上記自動合焦機能の動作が完了しているか否かを判断する判断工程と、この判断工程により上記自動合焦機能の動作が完了していないと判断された場合、一定の被写界深度が得られる固定焦点位置とする焦点制御工程とを有したことを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
請求項８記載の発明は、自動合焦機能を備え、２段階動作するシャッタキーの第１段階の操作で自動合焦を、第２段階の操作で撮影を実行する撮像装置に内蔵したコンピュータが実行するプログラムであって、上記シャッタキーによる所定の第１段階及び第２段階の指示操作状態を検出する検出ステップと、この検出ステップにより上記第１段階の指示操作状態が検出された時点で上記自動合焦機能の動作を開始させる自動合焦制御ステップと、上記検出ステップにより上記第２段階の指示操作状態が検出された時点で上記自動合焦機能の動作が完了しているか否かを判断する判断ステップと、この判断ステップにより上記自動合焦機能の動作が完了していないと判断された場合、一定の被写界深度が得られる固定焦点位置とする焦点制御ステップとを実行させることを特徴とする。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】変更
【補正の内容】
【００２５】
本発明によれば、２段階の操作ストロークを有するシャッタキーの操作の仕方により自動合焦と固定焦点とを任意に切換選択でき、必要により即時迅速な撮影動作を実行できる。
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】